(57)【要約】【課題】ブーツの形状を維持しつつ、ブーツ内の換気性の向上を図ったブーツスタンドを提供する。【解決手段】ブーツスタンド１は、一対のブーツ５０の各々の胴筒部５１に挿入される一対のブーツ挿入体１０を有する。一対のブーツ挿入体１０の各々は、一対の端部開口１１ａ、１１ｂを有する円筒形状の本体部１１と、該本体部１１の外周面から突出して形成された突出部１３と、を備え、一対のブーツ挿入体１０の各々が胴筒部５１内にそれぞれ挿入された状態で、突出部１３が、本体部１１と胴筒部５１との間に空間Ｓを形成し、空間Ｓは、各ブーツ挿入体１０のブーツ挿入側の端部開口１１ｂを介して、本体部１１の内部空間と連通状態になっている。【選択図】図１
2014212841.tif 000002
【特許請求の範囲】
【請求項１】
一対のブーツの各々の胴筒部に挿入される一対のブーツ挿入体を有するブーツスタンドであって、
前記一対のブーツ挿入体の各々は、一対の端部開口を有する円筒形状の本体部と、該本体部の外周面から突出して形成された突出部と、を備え、
前記一対のブーツ挿入体の各々が前記胴筒部内にそれぞれ挿入された状態で、前記突出部が、前記本体部と前記胴筒部との間に空間を形成し、前記空間は、前記各ブーツ挿入体のブーツ挿入側の前記端部開口を介して、前記本体部の内部空間と連通状態になっていることを特徴とするブーツスタンド。
【請求項２】
さらに、前記一対のブーツ挿入体の各々を連結する連結部を有することを特徴とする請求項１記載のブーツスタンド。
【請求項３】
さらに、前記一対のブーツ挿入体の各々が前記胴筒部内にそれぞれ挿入された状態で、前記胴筒部外に向く前記端部開口から、前記ブーツ挿入側の前記端部開口に向けて送風する送風手段を有することを特徴とする請求項１又は請求項２記載のブーツスタンド。
【発明の詳細な説明】
【技術分野】
【０００１】
本発明は、一対のブーツの各々の胴筒部に挿入される一対のブーツ挿入体を有するブーツスタンドに関する。
【背景技術】
【０００２】
ブーツは、靴底が当該ブーツの開口から離隔した位置にあるので、靴底と足裏との摩擦により生じる汗などの湿気を放出し難い環境にある。このため、靴底と足裏との接触部であるブーツ内底部に雑菌が繁殖し易くなり、この雑菌が悪臭を放つ原因となることもある。
【０００３】
特許文献１には、ブーツを一定の形状に維持するとともに、ブーツ内底部と外部とを連通可能にすることを目的としたブーツキーパが開示されている。
【０００４】
図８の（Ａ）は、特許文献１に記載された従来のブーツキーパの一例を示す斜視図である。（Ｂ）は、（Ａ）に示された従来のブーツキーパがブーツ内に装着された状態を示す断面図である。図８に示すように、従来のブーツキーパ１０１は、円筒形状に形成され、ブーツＢに装着された状態で、常時拡径する方向の力をブーツＢの胴筒部に作用させることにより、胴筒部の形状を維持することが可能とされている。また、従来のブーツキーパ１０１は、その下端を切り欠いて形成された溝部１０１ａを有している。この従来のブーツキーパ１０１をブーツＢ内に挿入し、ブーツ内部で適宜回転させて、溝部１０１ａの開口をつま先側に対向する向きで装着することにより、溝部１０１ａを介して、ブーツＢの外部とブーツ内底部のつま先側とを連通状態にしていた。
【０００５】
しかしながら、従来のブーツキーパ１０１は、ブーツＢの胴筒部の形状を維持するために、ブーツＢの胴筒部に常時拡径する方向の力を作用させた状態で装着されるから、外気を取り入れてブーツ内部の空気を排出するための通気口は一つのみしか設けられていない。このため、溝部１０１ａを介して、ブーツＢの外部とブーツ内底部のつま先側とを連通させても、ブーツ内部において空気を循環させ難かった。
【先行技術文献】
【特許文献】
【０００６】
【特許文献１】特開２００８−２７２４２７号公報
【発明の概要】
【発明が解決しようとする課題】
【０００７】
本発明は、以上の背景に鑑みてなされたものであり、ブーツの形状を維持しつつ、ブーツ内の換気性の向上を図ったブーツスタンドを提供することを目的とする。
【課題を解決するための手段】
【０００８】
請求項１記載の本発明は、一対のブーツの各々の胴筒部に挿入される一対のブーツ挿入体を有するブーツスタンドであって、前記一対のブーツ挿入体の各々は、一対の端部開口を有する円筒形状の本体部と、該本体部の外周面から突出して形成された突出部と、を備え、前記一対のブーツ挿入体の各々が前記胴筒部内にそれぞれ挿入された状態で、前記突出部が、前記本体部と前記胴筒部との間に空間を形成し、前記空間は、前記各ブーツ挿入体のブーツ挿入側の前記端部開口を介して、前記本体部の内部空間と連通状態になっていることを特徴とするブーツスタンドである。
【０００９】
請求項２記載の本発明は、請求項１記載の本発明において、さらに、前記一対のブーツ挿入体の各々を連結する連結部を有することを特徴とする。
【００１０】
請求項３記載の本発明は、請求項１又は請求項２記載の本発明において、さらに、前記一対のブーツ挿入体の各々が前記胴筒部内にそれぞれ挿入された状態で、前記胴筒部外に向く前記端部開口から、前記ブーツ挿入側の前記端部開口に向けて送風する送風手段を有することを特徴とする。
【発明の効果】
【００１１】
請求項１記載のブーツスタンドによれば、一対のブーツ挿入体の各々は、一対の端部開口を有する円筒形状の本体部と、該本体部の外周面から突出して形成された突出部と、を備え、一対のブーツ挿入体の各々が胴筒部内にそれぞれ挿入された状態で、突出部が、本体部と胴筒部との間に空間を形成し、空間は、各ブーツ挿入体のブーツ挿入側の端部開口を介して、本体部の内部空間と連通状態となる。即ち、一対のブーツ挿入体の各々が胴筒部内にそれぞれ挿入された状態では、本体部の内部空間に連なる胴筒部外に向く端部開口が一方の通気口となり、本体部と胴筒部との間の空間に連なるブーツ開口が他方の通気口となるため、一方の通気口と他方の通気口との２つの通気口が形成される。よって、例えば、ブーツ内の蒸れた空気が、他方の通気口から外部に排出されるとともに、一方の通気口から外気を取り入れることができる。このように、ブーツ内の空気が本体部の内部空間と外部空間とに循環され、ブーツ内を換気できるから、ブーツ内に生じた汗などの湿気を自然に放出することができる。従って、ブーツの靴底に雑菌が繁殖するのを抑制しつつ、悪臭の発生を抑制することができる。また、一対のブーツ挿入体をそれぞれブーツに挿入することで、当該ブーツに生じる皴や型崩れが生じるのを抑制しつつ、ブーツの形状を維持することができる。
【００１２】
請求項２記載のブーツスタンドによれば、一対のブーツ挿入体の各々を連結する連結部をさらに備えたから、一対のブーツ挿入体が互いに支え合うことでバランスを取り易くなる。従って、一対のブーツを自立させた状態で保持することができる。
【００１３】
請求項３記載のブーツスタンドによれば、一対のブーツ挿入体の各々が胴筒部内にそれぞれ挿入された状態で、胴筒部外に向く端部開口から、ブーツ挿入側の端部開口に向けて送風する送風手段を備えたから、送風手段により、ブーツ内を強制的に換気しつつ、ブーツ内に生じた汗などの湿気を強制的に放出することができる。これにより、より一層、ブーツの靴底に雑菌が繁殖するのを抑制しつつ、悪臭の発生を抑制することができる。また、送風手段により、例えば、温風がブーツ内部に循環された場合には、ブーツ内部を速やかに乾燥させることができる。
【図面の簡単な説明】
【００１４】
【図１】本発明の第１実施形態のブーツスタンドを示す斜視図である。
【図２】図１に示されたブーツスタンドの要部を拡大して示す図である。
【図３】図１に示されたブーツスタンドにブーツを装着した状態を示す斜視図である。
【図４】図３に示されたブーツスタンドにブーツを装着した状態の作用を説明するための図である。
【図５】本発明の第２実施形態のブーツスタンドを示す斜視図である。
【図６】図５に示されたブーツスタンドを構成する乾燥消臭器を示す正面図である。
【図７】（Ａ）は、図５に示されたブーツスタンドにブーツを装着した状態を示す斜視図であり、（Ｂ）は、（Ａ）の状態の作用を説明するための図である。
【図８】（Ａ）は、従来のブーツキーパの一例を示す斜視図である。（Ｂ）は、（Ａ）に示された従来のブーツキーパがブーツ内に装着された状態を示す断面図である。
【発明を実施するための形態】
【００１５】
（第１実施形態）
以下、本発明の第１実施形態のブーツスタンドを、図１〜図４を参照して説明する。
【００１６】
図１、図３に示すように、ブーツスタンド１は、一対のブーツ５０の各々の胴筒部５１に挿入される一対のブーツ挿入体１０と、一対のブーツ挿入体１０を連結する連結部２０と、を備えて構成されている。本実施形態では、一対のブーツ挿入体１０が、一対のブーツ５０の各々の胴筒部５１に、重力方向の下方に向かって挿入される場合について説明する。
【００１７】
ここで、「一対のブーツ」の一例としてロングブーツ５０を説明する。ロングブーツ５０は、図４にも示すように、靴底５２と、靴底５２の周縁から連続されて足の甲を覆う覆い部５３と、覆い部５３から連続されて足首から膝下を覆う略円筒形状の胴筒部５１と、を備えている。胴筒部５１は、覆い部５３側端部に位置する足首部５１Ａの径寸法が他の部分よりも小さくなるように形成されている。明細書中で靴底５２は、ロングブーツ５０の内側の足の裏が接触する部分を意味する。また、明細書中では、ロングブーツ５０のことを、単にブーツ５０と記す場合がある。
【００１８】
図３に示すように、一対のブーツ挿入体１０は、それぞれ、軸方向側に開口した一対の開口部１１ａ、１１ｂ（図４にも示す）を有する略円筒形状の本体部１１と、この本体部１１の一端に設けられた一方の開口部１１ａからの外気を、他方の開口部１１ｂ（図４に示す）を介してロングブーツ５０の靴底５２側に向かって導出するための導出部１２と、本体部１１の外周面から突出して形成された４つの突出部１３と、を備えている。一対の開口部１１ａ、１１ｂのうち、一方の開口部１１ａは、ブーツ挿入体１０がブーツ５０内に挿入された際の挿入反対方向側の胴筒部５１外を向く開口であり、他方の開口部１１ｂは、ブーツ挿入体１０がブーツ５０内に挿入された際のブーツ挿入側の開口である。また、一方の開口部１１ａ、及び他方の開口部１１ｂは、請求項中の「一対の端部開口」の一例に相当する。
【００１９】
ここで、図１に示すように、重力方向、一対のブーツ挿入体１０の一対のブーツ５０への挿入方向、及び本体部１１の軸方向を矢印Ｙ方向で示し、本体部１１の径方向でブーツ５０の左右方向を矢印Ｘ方向で示し、本体部１１の径方向において矢印Ｘ方向と直交する方向を矢印Ｚ方向で示す。また、矢印Ｘ方向で示す方向を「左右方向」と記し、矢印Ｚ方向で示す方向を「前後方向」と記す場合がある。
【００２０】
本体部１１は、円筒形状の筒状部１４と、筒状部１４の外周面の全周に突条に連続して形成されて、筒状部１４の強度を確保する補強リブ１５と、を備えている。補強リブ１５は、筒状部１４の軸方向に間隔をあけて５つ形成され、筒状部１４の一端に位置する補強リブ１５は、本体部１１の一方の開口部１１ａの強度の確保に資する。なお、本実施形態では、補強リブ１５は、筒状部１４の外周面に形成されていたが、筒状部１４の内周面に形成されていてもよい。
【００２１】
導出部１２は、筒状部１４の他端側の周縁から板状に連続して設けられた板状部１６と、この板状部１６の左右方向の両端にそれぞれ連続され、かつ、端部が左右方向（矢印Ｘ方向）側に離れるに従って徐々に開口部１１ｂから離れる方向の曲面に形成された曲がり部１７と、を備えている。この曲がり部１７が形成されていることにより、ブーツ挿入体１０がブーツ５０の胴筒部５１内に挿入された際に、図４に示すように、本体部１１の他方の開口部１１ｂと、ブーツ５０の靴底５２との間に隙間Ｌ１が形成され、導出部１２の矢印Ｚ方向の後端部とブーツ５０の内面と間、及び、矢印Ｚ方向の同前端部とブーツ５０の内面と間に隙間Ｌ２が形成される。
【００２２】
突出部１３は、本体部１１の外周面から左右方向（矢印Ｘ方向）と前後方向（矢印Ｚ方向）の４方向に突出して形成されている。即ち、突出部１３は複数（図示例では４つ）設けられている。各突出部１３は、本体部１１の軸方向（矢印Ｙ方向）の一端から他端まで連続して形成されている。また、各突出部１３は、その出寸法が、軸方向の何れの位置においても、補強リブ１５の出寸法よりも大きくなように形成されている。突出部１３は、ブーツ挿入体１０がブーツ５０の胴筒部５１内に挿入された際に、図４に示すように、本体部１１と胴筒部５１との間に空間Ｓを形成する。
【００２３】
また突出部１３は、ブーツ挿入体１０がブーツ５０の胴筒部５１内に挿入された状態で、突出方向の頂部のうち、一部が、胴筒部５１の足首部５１Ａの内面に接触又は近接する位置に設けられている。このため、ブーツ５０において特に皺や型崩れが生じやすい部分である、足首部５１Ａの内面に、突出部１３が接触又は近接して、足首部５１Ａに生じる皴や型崩れが生じるのを抑制しつつ、ブーツ５０の形状を維持している。
【００２４】
このような一対のブーツ挿入体１０は、該ブーツ挿入体１０がブーツ５０の胴筒部５１内に挿入された状態で、図４に示すように、突出部１３がブーツ５０の胴筒部５１との間に空間Ｓを形成し、この空間Ｓが、隙間Ｌ２、及び、隙間Ｌ１、並びに、本体部１１の他方の開口部１１ｂ、を介して、本体部１１の内部空間に連通状態になっている。
【００２５】
連結部２０は、図２に示すように、各ブーツ挿入体１０の左右方向（矢印Ｘ方向）の一方に突出した板状に形成されているとともに、一対のブーツ挿入体１０が連結された状態で、前後方向（矢印Ｚ方向）に交互に対向して設けられて、互いを挟んで挟持する各一対の挟持片２０Ａ、２０Ｂから構成されている。そして、隣り合うブーツ挿入体１０の挟持片２０Ａ、２０Ｂ同士が、互いに近付けられて挟持されること、互いに離隔されて挟持解除されることにより、一対のブーツ挿入体１０の連結分離が可能に構成されている。
【００２６】
一対の挟持片２０Ａ、２０Ｂは、一対のブーツ挿入体１０の軸方向一方側の端部に設けられている。各一対の挟持片２０Ａ、２０Ｂのうち、一対の挟持片２０Ａは、左右方向（矢印Ｘ方向）一方側の突出部１３を前後方向（矢印Ｚ方向）に挟む位置に設けられ、一対の挟持片２０Ｂは、その一つの挟持片２０Ｂが、左右方向他方側の突出部１３の頂部に連続して設けられている。また、各挟持片２０Ａ、２０Ｂは、一対のブーツ挿入体１０がブーツ５０内に挿入された状態で、ブーツ５０の外部に露出している。換言すると、ブーツスタンド１は、一対のブーツ挿入体１０の軸方向の寸法が、各挟持片２０Ａ、２０Ｂが形成される部分の軸方向の寸法分だけ、予め大きくなるように形成されている。
【００２７】
また各挟持片２０Ａ、２０Ｂは、軸方向（矢印Ｙ方向）の一端が、ブーツ挿入体１０の一端から矢印Ｙ方向に突出しない位置に設けられている。即ち、一対のブーツ挿入体１０及び連結部２０は、その軸方向の一端面が面一になるように設けられている。こうして、ブーツスタンド１は、軸方向の一端と他端を転倒させた倒立状態で用いることも可能とされている。連結部２０、即ち各一対の挟持片２０Ａ、２０Ｂが設けられていることにより、一対のブーツ挿入体１０が互いに支え合うことでバランスが取り易くなるから、一対のブーツ５０を並べて自立させた状態で保管することができる。
【００２８】
このような連結部２０は、各一対の挟持片２０Ａ、２０Ｂが、隣り合うブーツ挿入体１０に互いに近付けられることにより、一対の挟持片２０Ａ間に、一対の挟持片２０Ｂのうち一つの挟持片２０Ｂが圧入されて、該一つの先端が、一対の挟持片２０Ａ間の突出部１３の先端面に当接する。こうして、各一対の挟持片２０Ａ、２０Ｂが互いに挟持されて、隣り合うブーツ挿入体１０同士が連結される。
【００２９】
次に、ロングブーツ５０にブーツスタンド１を装着する装着手順の一例について図３を参照して説明する。
【００３０】
まず、図３に示すように、ロングブーツ５０を、その靴底５２が上方に向く格好（即ち、所謂立たせた状態）でフロアに置く。一対のブーツ挿入体１０が連結部２０によって連結されたブーツスタンド１を、各ブーツ挿入体１０の導出部１２側をそれぞれ、ブーツ５０の開口に近付け、ロングブーツ５０の踵からつま先に向かうに沿う向きが、一対のブーツ挿入体１０の前後方向（矢印Ｚ方向）に沿う向きで、ブーツ５０の胴筒部５１内に挿入する。すると、前後方向（矢印Ｚ方向）の突出部１３が、胴筒部５１の足首部５１Ａの内面に接触又は近接するとともに、導出部１２が靴底５２に到達する。こうして、ロングブーツ５０にブーツスタンド１を装着する。
【００３１】
このようにロングブーツ５０にブーツスタンド１を装着すると、図４に示すように、突出部１３がブーツ５０の胴筒部５１との間に空間Ｓを形成し、この空間Ｓが、隙間Ｌ２、及び、隙間Ｌ１、並びに、本体部１１の他方の開口部１１ｂ、を介して、本体部１１の内部空間と連通状態となる。即ち、一対のブーツ挿入体１０の各々が胴筒部５１内にそれぞれ挿入された状態では、本体部１１の内部空間に連なる胴筒部５１外に向く一方の開口部１１ａ（端部開口）が一方の通気口となり、本体部１１と胴筒部５１との間の空間Ｓに連なるブーツ５０の開口が他方の通気口となって、一方の通気口と他方の通気口との２つの通気口が形成される。よって、ブーツ５０内の蒸れた空気が、他方の通気口から外部に排出されるとともに、一方の通気口から外気を取り入れることができる。このように、ブーツ５０内の空気が本体部１１の内部空間と外部空間とに循環され、ブーツ５０内を換気できるから、ブーツ５０内に生じた汗などの湿気を自然に放出することができる。従って、ブーツ５０の靴底５２に雑菌が繁殖するのを抑制しつつ、悪臭の発生を抑制することができる。また、一対のブーツ挿入体１０をそれぞれブーツ５０に挿入することで、当該ブーツ５０に生じる皴や型崩れが生じるのを抑制しつつ、ブーツ５０の形状を維持することができる。
【００３２】
なお、上述した実施形態のブーツスタンド１は、１つのブーツスタンド１を用いる場合を説明したが、これに限定されるものではない。各ブーツ挿入対１０の左右の両側に一対の挟持片２０Ａ、２０Ｂをそれぞれ設けて、互いに隣り合うブーツ挿入体１０の挟持片２０Ａ、２０Ｂ同士を互いに挟持させることにより、複数のブーツスタンド１を互いに連結して用いてもよい。また、上述した実施形態のブーツスタンド１は、連結部２０を有して構成されていたが、これに限定されるものではない。連結部２０は有さなくてもいいし、一対のブーツ挿入体１０と別体に構成されていてもよい。連結部２０が、一対のブーツ挿入体１０と別体に構成され、かつ、連結部２０の数を、各ブーツ挿入体１０の数よりも１少ない数だけ有して、複数のブーツスタンド１の各ブーツ挿入体１０を、それぞれ、複数のブーツ５０の各胴筒部５１内に挿入した後、隣り合うブーツ挿入体１０を連結部２０で連結してもよい。
【００３３】
また、上述した実施形態では、ブーツ５０内の蒸れた空気が、他方の通気口から外部に排出されるとともに、一方の通気口から外気を取り入れる場合を説明したが、条件によっては、逆に流れる場合もある。
【００３４】
（第２実施形態）
以下、本発明の第２実施形態のブーツスタンドを、図５〜図７を参照して説明する。前述した第１の実施形態と同一の構造乃至機能を示す部材には、同一符号を付してその説明を省略する（但し、以下に別途説明がある場合はそちらが優先する）。本実施形態のブーツスタンド１Ａは、図５、図６に示すように、第１実施形態のブーツスタンド１と略同等の構成部材に、本体部１１の一方の開口部１１ａから、ブーツ挿入側の他方の開口部１１ｂに向けて送風する乾燥消臭器３０（「送風手段」の一例）を有して構成されている。
【００３５】
図６に示すように、乾燥消臭器３０は、送風部３１と、送風部３１の送風方向下流側に設けられた一対のヒータ部３２と、ヒータ部３２の送風方向下流側に設けられた一対のオゾン発生部３３と、これらの送風部３１、ヒータ部３２、オゾン発生部３３の各々に電力を供給する電力供給部３４と、送風部３１、一対のヒータ部３２、一対のオゾン発生部３３及び電力供給部３４を収容するケース３５と、を備えている。ケース３５には、本体部１１の内側に挿入されて本体部１１の内側に送風部３１の送風を送り出す一対の送出口３０ａが設けられている。送出口３０ａは、ケース３５に設けられて本体部１１の内側に挿入可能な円筒状に形成された一対の筒部３５Ａの先端部に設けられている。このような乾燥消臭器３０は、電力供給部３４からの電力の供給に伴って、送風部３１、ヒータ部３２、及びオゾン発生部３３が各々機能して、一対のブーツ５０の各々にオゾンを含んだ温風を送出口３０ａから送出する。このような乾燥消臭器３０は、一対の筒部３５Ａの先端部を、一対のブーツ挿入体１０の一方の開口部１１ａに近付けて、一対のブーツ挿入体１０にそれぞれ挿嵌して、一対のブーツ挿入体１０に取り付ける。
【００３６】
次に、ロングブーツ５０をブーツスタンド１Ａに装着する装着手順の一例について図７を参照して説明する。
【００３７】
図７に示すように、一対のブーツ挿入体１０が連結部２０によって連結され、乾燥消臭器３０が組み付けられた状態のブーツスタンド１Ａを、例えば、乾燥消臭器３０が重力方向下方側に位置する格好でフロアに置き、ロングブーツ５０をその開口が重力方向下方側に向く倒立した格好で、ロングブーツ５０の開口を一対のブーツ挿入体１０の他方の開口部１１ｂにそれぞれ近付け、ロングブーツ５０の踵からつま先に向かうに沿う向きが、一対のブーツ挿入体１０の前後方向（矢印Ｚ方向）に沿う向きで、一対のブーツ挿入体１０のそれぞれに挿入する。すると、前後方向の突出部１３が、胴筒部５１の足首部５１Ａの内面に接触又は近接するとともに、導出部１２が靴底５２に到達する。こうして、ロングブーツ５０をブーツスタンド１Ａに装着する。
【００３８】
ロングブーツ５０をブーツスタンド１Ａに装着すると、図７に示すように、突出部１３がブーツ５０の胴筒部５１との間に空間Ｓを形成し、この空間Ｓが、隙間Ｌ２、及び、隙間Ｌ１、並びに、本体部１１の他方の開口部１１ｂ、を介して、本体部１１の内部空間と連通状態となる。即ち、一対のブーツ挿入体１０の各々が胴筒部５１内にそれぞれ挿入された状態では、本体部１１の内部空間に連なる胴筒部５１外に向く一方の開口部１１ａ（端部開口）が一方の通気口となり、本体部１１と胴筒部５１との間の空間Ｓに連なるブーツ５０の開口が他方の通気口となって、一方の通気口と他方の通気口との２つの通気口が形成される。
【００３９】
このようにロングブーツ５０をブーツスタンド１Ａに装着した状態で乾燥消臭器３０に電力が供給されると、送風部３１、ヒータ部３２、及びオゾン発生部３３が各々機能して、オゾンを含んだ温風が送出口３０ａから送出される。すると、一方の通気口からロングブーツ５０内にオゾンを含んだ温風が送出され、他方の通気口から外部に排出される。このようにブーツ内を強制的に換気しつつ、ブーツ５０内に生じた汗などの湿気を強制的に放出することができる。これにより、より一層、ロングブーツ５０の靴底５２に雑菌が繁殖するのを抑制しつつ、悪臭の発生を抑制することができる。また、乾燥消臭器３０により、温風がロングブーツ５０内部に循環され、ブーツ５０内部を速やかに乾燥させることができる。さらに、乾燥消臭器３０により、オゾンがブーツ５０内に循環され、オゾンが臭いの元を分解して、ブーツ５０内部の悪臭を無臭化することができる。
【００４０】
以上、本発明について、好ましい実施形態を挙げて説明したが、本発明は上記実施形態の構成に限定されるものではない。
【００４１】
上述した実施形態のブーツスタンド１、１Ａでは、突出部１３は４つ形成されていたが、これに限定されるものではない。突出部１３は１つ以上であればよいが、２つ以上あることが好ましく、３つ以上あることがより好ましい。また、突出部１３は板状に形成され、その軸方向の全長に連続して形成されていたが、突出部１３が、本体部１１とブーツ５０の胴筒部５１との間に空間Ｓを形成すれば、軸方向（矢印Ｙ方向）に間隔をあけて形成されていてもよく、突出部１３の形状は任意である。
【００４２】
また、上述した実施形態のブーツスタンド１、１Ａが、ロングブーツ５０に装着された一例を説明したが、これに限定されるものではない。ブーツスタンド１、１Ａは、例えばショートブーツにも適用可能に構成されている。つまり、ブーツスタンド１、１Ａはあらゆる丈のブーツに適用可能である。また、上述した実施形態のブーツスタンド１、１Ａがブーツ５０に装着された状態で、ブーツスタンド１、１Ａは、その一部が、ブーツ５０の開口から突出する程度の長さを有して形成された一例を説明したが、これに限定されるものではない。ブーツスタンド１、１Ａは、ブーツ５０の開口から没する程度の長さを有して形成されていてもよい。
【００４３】
なお、前述した各実施形態は本発明の好ましい形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のブーツスタンド１の構成を具備する限り、勿論、本発明の範疇に含まれるものである。
【符号の説明】
【００４４】
１、１Ａ        ブーツスタンド
１０            一対のブーツ挿入体
１１            本体部
１１ａ、１１ｂ  一方の開口部、及び、他方の開口部（一対の端部開口の一例）
１３            突出部
２０            連結部
３０            乾燥消臭器（送風手段の一例）
５０            一対のブーツ（ロングブーツの一例）
５１            胴筒部
Ｓ            空間
【図１】
2014212841.tif 000003
【図２】
2014212841.tif 000004
【図３】
2014212841.tif 000005
【図４】
2014212841.tif 000006
【図５】
2014212841.tif 000007
【図６】
2014212841.tif 000008
【図７】
2014212841.tif 000009
【図８】
2014212841.tif 000010